(57)【特許請求の範囲】
【請求項１】
ケーブル延線方向の前後に互いに隣接する電柱間スパンの各支持線に巻回した螺旋状ケーブルハンガー間に介在し、しかも、前記前段のケーブルハンガー内を移動して後段のケーブルハンガー内を移動する通線工具の先導材が係合して受支される、両端開放断面溝状の受支枠を備え、該受支枠を、地上で支持する支持杆の上端に前記ケーブル延線方向に傾斜角度調節自在に組付けた、ケーブル延線作業時における通線工具の先導材の案内具。
【発明の詳細な説明】
【技術分野】
【０００１】
所謂、ケーブル延線作業は、電柱間に張架した支持線に巻回支持させた螺旋状ケーブルハンガーにケーブルを挿通、支持させるに際し、ハンガー内を移動させるケーブルの牽引ロープを一方の電柱側から他方の電柱側へと通線工具（先導材とリードワイヤーで成る）を用いて移動させ、該通線工具によって移動させた牽引ロープの先端を前記他方の電柱側から牽引することによって該ロープの末端に連結した前記ケーブルを前記ハンガー内を移動させ、挿通させるようにしている。
【０００２】
本発明は、斯様なケーブル延線作業をスパン間にわたって行うときに用いる、ケーブル延線作業時における通線工具の先導材の案内具に関するものである。
【背景技術】
【０００３】
ケーブル延線作業は、電（支）柱を間にしてスパン間に連続的に（ケーブルを）行うことがあるが、前記通線工具（の先導材）の各スパンの螺旋状ケーブルハンガー間の移動は、該ハンガーが離開しているため、前段のスパン側から後段のスパン側への移動ができないため、スパンの間の電柱上では作業員が前段側から後段側へと移動させる作業を必要としている。
【発明の開示】
【発明が解決しようとする課題】
【０００４】
従って、従来例は柱上作業で、また、電柱の上り下りを伴うので危険であり、煩雑でもある。
【０００５】
本発明は、斯様な従来例の欠点に着目し、延線作業に適用するに好適な、ケーブル延線作業時における通線工具の先導材の案内具を提供することを目的として創案したものである。
【課題を解決するための手段】
【０００６】
ケーブル延線方向の前後に互いに隣接する電柱間スパンの各支持線に巻回した螺旋状ケーブルハンガー間に介在し、しかも、前記前段のケーブルハンガー内を移動して後段のケーブルハンガー内を移動する通線工具の先導材が係合して受支される、両端開放断面溝状の受支枠を備え、該受支枠を、地上で支持する支持杆の上端に前記ケーブル延線方向に傾斜角度調節自在に組付けた、構成としたものである。
【発明の効果】
【０００７】
本発明によれば、前段のスパンの螺旋状ケーブルハンガーから後段のスパンの螺旋状ケーブルハンガーとの間に地上において支持杆を支えることにより該支持杆の上端に設けた受支枠を介在させ、該受支枠を利用して前段から後段のスパンの螺旋状ケーブルハンガーへと通線工具の先導具を移行させることができ、該移行操作において危険な柱上作業を省略できる。また、本工具によれば、前後のスパンの螺旋状ケーブルハンガー間に段差（高さ位置の相違）があっても、受支枠の傾斜角度を調節してそれに対応することができ、実用的である。
【実施例】
【０００８】
図面は本発明に係るケーブル延線作業時における通線工具の先導材のの案内具の一実施例を示し、図１は使用状態を示す正面図、図２は一部を省略示した正面図、図３は図２の一部欠截拡大側面図である。
【０００９】
実施例のケーブル延線作業時における通線工具の先導材の案内具Ａはケーブル延線作業に用いるもので、該ケーブル延線作業は、電柱間に張架した支持線（メッセンジャーワイヤー）Ｓに巻回支持させた螺旋状ケーブルハンガーｈにケーブルを挿通、支持させる作業をいい、該ケーブルを前記螺旋状ケーブルハンガーｈに挿通、支持させるに際し、一方の電柱側から他方の電柱側へと牽引ロープをハンガーｈ内に通し、該牽引ロープを牽引することによってケーブルは電柱間に張架されるのであるが、牽引ロープを螺旋ケーブルハンガーｈ内を挿通させて電柱間に配するには、リードワイヤーｗと該リードワイヤーｗの先端に設けた先導具ｇとで成る通線工具Ｔのリードワイヤーｗをその剛性を利用して一方の電柱側から他方の電柱へと押送して先導具ｇを螺旋状ケーブルハンガー内を移動させ、該先導具ｇを目的の電柱位置へと移動させて、後端に牽引ロープを接続した前記リードワイヤーｗを当該螺旋状ケーブルを貫通させ、該ワイヤーｗを牽引することによって行われる。
【００１０】
そして、実施例の案内具Ａは、電柱ｄを介する互いに隣接するスパンｍ，ｍ´の螺旋状ケーブルハンガーｈ，ｈ´に連続的に通線工具Ｔ（の先導具ｇ）を貫通させる（牽引ロープを貫通させる）に当り、螺旋状ケーブルｈ，ｈ´間の前記電柱ｄ位置に配置して先導具ｇが前段のスパンｍの螺旋状ケーブルハンガーｈ部から後段のスパンｍ´の螺旋状ケーブルハンガーｈ´へとリードワイヤーｗを押送するだけで移行（動）できるようにするために用いるものである。
【００１１】
また、案内具Ａは、伸縮自在（長さ調節自在）の支持杆１の上端に受支材２を取付けて構成したもので、受支材２は、前記支持杆１に下端部のねじを螺合して取付けた支杆部３に受支枠４を組付けて構成したものである。
【００１２】
受支枠４は、両端を開放した断面溝状体で成り、その長手方向の中央の外側面に円弧状の上部を重ね合わせてボルト６とナット７で締付けた組付け部片５，５の相対する下部を前記支杆部３を介在させて重ね合わせ、組付け部片５の帯板状の前記下部の外側に挟持片９を重ね合わせ、これらに組付け兼用の軸ボルト１０を貫通させて一方の挟持片９より突出する軸ボルト１０の先端に袋ナットでなる締付けナット１１を螺合して前記支杆部３と組合わせ、支持杆１の上端に設けたものである。
【００１３】
そして、図１で示す通り、ケーブル延線方向の前後のスパンｍ，ｍ´に配設した支持線Ｓ，Ｓ´のそれぞれに巻回支持させた螺旋状ケーブルハンガーｈとｈ´との間Ｒに、地上から支持杆１を持ち上げるようにして受支枠を位置させ、後側のスパンｍ´の螺旋状ケーブルハンガーｈ´に係合したリードワイヤーｗを押送すると、リードワイヤｗはその先端に設けた先導具ｇが該ワイヤーｗに押されてハンガーｈ´内を確実に前進してハンガーｈ´の端末部に至り、なお、リードワイヤーｗの押送作業を継続すると、先導具ｇは螺旋状ケーブルハンガーｈ´から脱して用意してある受支枠４上に載り、該受支枠４を経て前側のスパンｍの螺旋状ケーブルハンガーｈ内に係合され、リードワイヤーｗの押送作業の継続によって先導具ｇに先導されて当該ハンガーｈ内を前進するのである。
【００１４】
そして、図１で示す場合は、前後の螺旋状ケーブルハンガーｈ，ｈ´間に高低差があるため、締付けナット１１を緩めてその高低差によって生じる傾斜角度に見合うように受支枠４を軸ボルト１０を中心に揺動させ、適度の傾斜状態にしてナット１１を締付けて該傾斜状態を保持させるようにして用いているのである。
【００１５】
傾斜調節手段は、実施例の構造のものに限定する必要はないが、実施例の場合は、締付けナット１１の締付け、緩め操作で足りるから簡単な構造で構成できる。
【００１６】
受支枠４は、実施例の形態に必ずしも限る必要はないが、該受支枠４上から先導具が落下しないで、しかも、円滑な移動を期待するには、長手方向の両端を開放した断面溝状体で構成すべきで、合成樹脂などの透視材で構成すると、該受支枠４上に載った（係合した）先導材の状態が地上から視認できるから好適である。
【図面の簡単な説明】
【００１７】
【図１】使用状態を示す正面図。
【図２】一部を省略示した正面図。
【図３】図２の一部欠截拡大側面図。
【符号の説明】
【００１８】
１          支持杆
４          受支枠
ｇ          先導材
ｈ，ｈ´    螺旋状ケーブルハンガー
ｍ，ｍ´    スパン
【図１】
0005106175.tif 000002
【図２】
0005106175.tif 000003
【図３】
0005106175.tif 000004